(57)【要約】      （修正有）【課題】内容器と外容器との嵌合部を、より簡単な構造とした二重容器を提供する。【解決手段】樹脂製の内容器１０と樹脂製の外容器２０とを組み合わせることで二重となるカップ状の二重容器１であって、内容器１０の上縁１１は外側方向に突出したのち内側方向に折り返され、外容器２０の上縁２１の先端部は外側方向に突出し、内容器１０の外側面における外接部１２と、外容器２０の内側面における内接部２２とが互いの弾性力により圧接し、外容器２０の上縁２１の先端部の下面と内容器１０の上縁１１の先端部１１Ａの上面とが互いに当接することにより、内容器１０と外容器２０とが嵌合することを特徴とする。【選択図】図１
0003182401.tif 000002
【実用新案登録請求の範囲】
【請求項１】
樹脂製の内容器と樹脂製の外容器とを組み合わせることで二重となるカップ状の二重容器であって、
前記内容器の上縁は外側方向に突出したのち内側方向に折り返され、
前記外容器の上縁の先端部は外側方向に突出し、
前記内容器の外側面における外接部と、前記外容器の内側面における内接部とが互いの弾性力により圧接し、
前記外容器の上縁の前記先端部の下面と前記内容器の上縁の先端部の上面とが互いに当接することにより、前記内容器と前記外容器とが嵌合することを特徴とする二重容器。
【請求項２】
樹脂製の内容器と樹脂製の外容器とを組み合わせることで二重となるカップ状の二重容器であって、
前記内容器の上縁は外側方向に突出したのち内側方向に折り返され、
前記外容器の上縁の先端は外側方向に突出し、
前記内容器の外側面における外接部と、前記外容器の内側面における内接部とが互いの弾性力により圧接し、
前記内容器の上縁の先端部と前記外容器の上縁の先端部とが互いに突き当たることにより、前記内容器と前記外容器とが固定されることを特徴とする二重容器。
【請求項３】
前記内容器と前記外容器は、輸送時にそれぞれ別体として重ねて搬送され、使用時に互いに組み立てられることにより前記二重容器を構成することを特徴とする請求項１又は請求項２に記載の二重容器。
【請求項４】
前記内容器の上縁と前記外容器の上縁との間に空気を逃がすための間隙が形成されるように前記内容器の上縁を成形することを特徴とする請求項１乃至請求項３のいずれか１項に記載の二重容器。
【考案の詳細な説明】
【技術分野】
【０００１】
本考案は、内容器と外容器とを組み合わせることで構成される二重容器に関する。
【背景技術】
【０００２】
従来、内容器と外容器とで構成されるカップ状の二重容器がある。これは、内容器の内部に収納された食品等の内容物が常温と比較して高温又は低温である場合、内容物の温度を変えないように、又は内容物の温度が外容器を把持している手に伝わることを緩和するために、容器側面を二重に構成している。
【０００３】
二重構成とするためには、内容器と外容器とを固定する必要がある。ここで従来は、内容器及び外容器に、互いに嵌合する突起又は溝を形成することが一般的であった（例えば、特許文献１参照）。
【先行技術文献】
【特許文献】
【０００４】
【特許文献１】特開平６−３１２７６９
【考案の概要】
【考案が解決しようとする課題】
【０００５】
しかしながら、内容器及び外容器に、突起又は溝等の嵌合部を形成すると、嵌合部の構造が複雑となる。すると、例えば、輸送時に内容器どうし又は外容器どうしを重ねる場合に高さが高くなってしまうという問題がある。
【０００６】
また、突起と溝は、各容器の特定の一部に形成されるため、使用者が内容器と外容器とを嵌合させる場合、突起の位置が溝の位置と合うように、内容器及び外容器を意識的に調整する必要がある。すると、嵌合作業に手間がかかるといった問題があった。このため、嵌合部の構造をより簡単な構造とする必要があった。
【０００７】
そこで、本考案の目的は、二重容器における内容器と外容器との嵌合部を、より簡単な構造とすることである。
【課題を解決するための手段】
【０００８】
上述の目的を達成するための本考案の第１の構成は、樹脂製の内容器と樹脂製の外容器とを組み合わせることで二重となるカップ状の二重容器であって、前記内容器の上縁は外側方向に突出したのち内側方向に折り返され、前記外容器の上縁の先端部は外側方向に突出し、前記内容器の外側面における外接部と、前記外容器の内側面における内接部とが互いの弾性力により圧接し、前記外容器の上縁の前記先端部の下面と前記内容器の上縁の先端部の上面とが互いに当接することにより、前記内容器と前記外容器とが嵌合することを特徴とする二重容器である。
【０００９】
また、第２の構成は、樹脂製の内容器と樹脂製の外容器とを組み合わせることで二重となるカップ状の二重容器であって、前記内容器の上縁は外側方向に突出したのち内側方向に折り返され、前記外容器の上縁の先端は外側方向に突出し、前記内容器の外側面における外接部と、前記外容器の内側面における内接部とが互いの弾性力により圧接し、前記内容器の上縁の先端部と前記外容器の上縁の先端部とが互いに突き当たることにより、前記内容器と前記外容器とが固定されることを特徴とする二重容器である。
【００１０】
また、第３の構成は、前記内容器と前記外容器は、輸送時にそれぞれ別体として重ねて搬送され、使用時に互いに組み立てられることにより前記二重容器を構成することを特徴とする第１の構成又は第２の構成に記載の二重容器である。
【００１１】
また、第４の構成は、前記内容器の上縁と前記外容器の上縁との間に空気を逃がすための間隙が形成されるように前記内容器の上縁を成形することを特徴とする第１の構成乃至第３の構成のいずれかに記載の二重容器である。
【考案の効果】
【００１２】
第１の構成及び第２の構成によれば、内容器の上縁は折り返しただけであり、外容器の上縁は先端部を外側に突出させただけあり、内容器の外接部と外容器の内接部は、それぞれの径を圧接するように変更しただけである。これは、溝や突起を形成する場合と比較して簡単な構成となる。このように、簡単な構成によって、嵌合を確実なものとすることができる。
【００１３】
第３の構成によれば、使用者が内容器の上縁と外容器の上縁とを確実かつ容易に嵌合させることができる。
【００１４】
第４の構成によれば、使用者が外容器を把持して外容器が内側に変形し、内容器と外容器との間の空隙が少なくなったときにおいて、空隙内の空気が、内容器と外容器との間に形成された間隙から逃げることができる。これにより、外容器を把持した時に空隙内の空気の圧力によって内容器を外容器から外れさせてしまうようなことが起こらない。
【図面の簡単な説明】
【００１５】
【図１】第１実施形態における二重容器の断面図。
【図２】第１実施形態における二重容器の上縁の拡大図。
【考案を実施するための形態】
【００１６】
〔第１実施形態〕
本考案の第１実施形態を図を用いて説明する。図１は第１実施形態における二重容器の断面図である。（ａ）は縦断面図であり、（ｂ）は横断面図である。互いの断面は両図に示された一点鎖線で示された位置である。
【００１７】
図１（ａ）に示すように、二重容器１はカップ状であり、樹脂製の内容器１０と、樹脂製の外容器２０とを組み合わせることで二重となる。
【００１８】
内容器１０は、その下方において外容器２０よりも小さい。このため、二重容器１の下方における内容器１０と外容器２０との間には、空隙Ｓが形成される。このように空隙Ｓが形成されると、空隙Ｓ内の空気が断熱作用を発揮する。すると、内容器１０内に収容された不図示の内容物の熱（冷熱、温熱）が外容器２０の外に放出されることを抑制する。すると、外容器２０を把持した手に対して内容物からの熱が伝わりにくくなるため、二重容器１は把持しやすい容器となる。
【００１９】
更に、内容器１０と外容器２０との間に空隙Ｓがあることにより、内容物の熱によって内容器１０が変形しても、変形量が空隙Ｓの範囲内である場合には、外容器２０を変形させることがない。よって、外容器２０を一定の形状に保つことができる。
【００２０】
図１（ｂ）に示すように、内容器１０の上縁１１と外容器２０の上縁２１との間の数か所（本実施形態では３か所）に、空気を逃がすための間隙Ｖが形成される。間隙Ｖの幅は０．２ｍｍ〜０．３ｍｍほどである。間隙Ｖは、内容器１０を内側にへこませるか、内容器１０の間隙Ｖ部分のＲが大きくなるように成形する。
【００２１】
次に、内容器１０と外容器２０とを固定する構成について説明する。図２は第１実施形態における二重容器の上縁の拡大図であり、（ａ）は図１の構成の拡大図で、（ｂ）は本実施形態の変形例の拡大図である。
【００２２】
図１及び図２（ａ）に示すように、内容器１０の上縁１１は外側方向に突出したのち内側方向に折り返される。これにより、内容器１０の上縁１１の先端部１１Ａが内側方向に向く。一方、外容器２０の上縁２１の先端部２１Ａは外容器２０の中心から外側方向に突出する。
【００２３】
ここで、内容器１０の上縁１１の先端部１１Ａの上面と、外容器２０の上縁２１の先端部２１Ａの下面とが互いに当接する。そして、内容器１０の上縁１１は一周にわたっており、外容器２０の上縁２１も一周にわたっているため、外容器２０の上縁２１が内容器１０の上縁１１に内側から嵌まり込むこととなる。こうして、内容器１０と外容器２０とは互いに嵌合する。
【００２４】
一方、内容器１０の上縁１１から所定量下がった位置にある外側面には、外容器２０に対して接触するように径が大きくなっている外接部１２が形成される。また、外容器２０の上縁２１から所定量下がった位置にある内側面には、内容器１０に対して接触するように径が小さくなっている内接部２２が形成される。ここで、内容器１０及び外容器２０は樹脂製であるため弾性を有する。このため、内容器１０の外接部１２と外容器２０の内接部２２とは、互いの弾性力により圧接する。
【００２５】
このように、本実施形態における内容器１０と外容器２０とは、上縁において互いに係合し、側面において互いに圧接することで、嵌合している。このため、内容器１０と外容器２０とは互いに確実に固定されることとなる。
【００２６】
また、互いに固定されるために必要な構成は簡単なものである。すなわち、内容器１０の上縁１１は折り返しただけであり、外容器２０の上縁２１は外側に突出させただけあり、内容器１０の外接部１２と外容器２０の内接部２２は、それぞれの径を圧接するように変更しただけである。これは、溝や突起と比較して簡単な構成となる。このように、簡単な構成によって、嵌合を確実なものとすることができる。
【００２７】
更に、内容器１０の上縁１１と外容器２０の上縁２１が簡単な構成であるため、内容器１０どうし又は外容器２０どうしを重ねる際に、外縁の形状によってかさばることがない。よって、輸送時にそれぞれ別体として重ねて搬送される場合や、保管時のスペースが少なくて済むというメリットがある。
【００２８】
また、この場合、使用時においては、内容器１０の下面から外容器２０を嵌め込んで組み立てるだけの作業で、二重容器１を簡単に組み立てることができる。この際、内容器１０の上縁１１の先端部１１Ａに対して外容器２０の上縁２１の先端部２１Ａがクリック音とともに確実に嵌合することで、嵌合したことを使用者が認識しやすい。また、嵌合することで内容器１０と外容器２０とが固定されるので、内容器１０から外容器２０の脱落を防止することができる。
【００２９】
次に、本実施形態の変形例について説明する。本実施形態においては、外容器２０の上縁２１の先端部２１Ａの下面と内容器１０の上縁１１の先端部１１Ａの上面とが互いに当接するとしたが、必ずしもこれに限るものではない。例えば、図２（ｂ）に示すように、内容器１０の上縁１１の先端部１１Ａと外容器２０の上縁２１の先端部２１Ａとが互いに突き当たることにより、内容器１０と外容器２０とが固定される構成としてもよい。
【産業上の利用可能性】
【００３０】
本考案は、内容器と外容器とを組み合わせることで構成される二重容器に利用することができる。
【符号の説明】
【００３１】
Ｓ…空隙
Ｖ…間隙
１…二重容器
１０…内容器
１１…上縁
１１Ａ…先端部
１２…外接部
２０…外容器
２１…上縁
２１Ａ…先端部
２２…内接部
【図１】
0003182401.tif 000003
【図２】
0003182401.tif 000004